(57)【要約】視聴者受信局（２１）によって受信された信号に含まれた情報へのデジタル有料テレビにおけるアクセスコントロール方法であって、  視聴者受信局が信号をデコードすることを可能にし、オン・デマンドの操作モードを視聴者に提供する情報を含む第１の共通情報（ＥＣＭ）と、ユーザの権利データのアップデートを可能にする情報を含む第２の個別情報（ＥＭＭ）との２タイプのメッセージを前記視聴者受信局を介してユーザデバイス（２６）に送信するステップと、  ユーザが後半に含まれている情報にアクセスするのに認可を与えられるなら、視聴者受信局（２１）によって前記信号のデコードを可能にするために、ユーザデバイス（２６）でアクセス認可信号（ＣＷ）を生成するステップとを備え、  第１の共通情報（ＥＣＭ）が、視聴者のための登録についてのこれらの第１のメッセージ（ＥＣＭ）の内容とユーザデバイスの内容との間の一定のインタラクティブ性を生み出すために、限定された視聴者のプロフィールに従って、一定時間のウィンドウの間、少なくとも１つのサービス又は１つのプログラムを認可することを可能にしているプログラム可能なプロフィール内容を有して送られることを特徴とする。
2006510323.tif 000002
【特許請求の範囲】
【請求項１】
視聴者受信局（２１）によって受信された信号に含まれた情報へのデジタル有料テレビにおけるアクセスコントロール方法であって、
視聴者受信局が信号をデコードすることを可能にし、オン・デマンドの操作モードを視聴者に提供する情報を含む第１の共通情報（ＥＣＭ）と、ユーザの権利データのアップデートを可能にする情報を含む第２の個別情報（ＥＭＭ）との２タイプのメッセージを前記視聴者受信局を介してユーザデバイス（２６）に送信するステップと、
ユーザが後半に含まれている情報にアクセスするのに認可を与えられるなら、視聴者受信局（２１）によって前記信号のデコードを可能にするために、ユーザデバイス（２６）でアクセス認可信号（ＣＷ）を生成するステップとを備え、
第１の共通情報（ＥＣＭ）が、視聴者のための登録についてのこれらの第１のメッセージ（ＥＣＭ）の内容とユーザデバイスの内容との間の一定のインタラクティブ性を生み出すために、限定された視聴者のプロフィールに従って、一定時間のウィンドウの間、少なくとも１つのサービス又は１つのプログラムを認可することを可能にしているプログラム可能なプロフィール内容を有して送られることを特徴とするデジタル有料テレビにおけるアクセスコントロール方法。
【請求項２】
前記ユーザデバイスは、スマートカードである請求項１記載のデジタル有料テレビにおけるアクセスコントロール方法。
【請求項３】
視聴者受信局によって受信された信号に含まれた情報へのデジタル有料テレビにおけるアクセスコントロール方法であって、
前記視聴者受信局が信号をデコードするのを可能にし、視聴者が信号をデコードするのをプロポーズし、オン・デマンド操作モードを視聴者に提供するための情報を含んでいる第１の共通情報と、ユーザの権利データのアップデートを可能にするための情報を含んでいる第２の個別情報との２タイプのメッセージの前記視聴者受信局を介したユーザデバイスへの送信と、
限定された視聴者のプロフィールに従って、視聴者のための登録についてのこれらの第１のメッセージの内容とユーザデバイスの内容との間の一定のインタラクティブ性を生み出すために、一定時間のウィンドウの間、少なくとも１つのサービス又は１つのプログラムを認可することを可能にしているプログラム可能なプロフィール内容を有する少なくとも１つの第１の共通情報と
を含んでいることを特徴とするデジタル有料テレビにおけるアクセスコントロール方法。
【請求項４】
視聴者受信局によって受信された信号に含まれた情報へのデジタル有料テレビにおけるアクセスコントロール方法であって、
前記視聴者受信局が信号をデコードするのを可能にし、視聴者が信号をデコードするのをプロポーズし、オン・デマンド操作モードを視聴者に提供するための情報を含んでいる第１の共通情報と、ユーザの権利データのアップデートを可能にするための情報を含んでいる第２の個別情報との２タイプのメッセージの視聴者受信局を介したユーザデバイスのレセプトと、
ユーザーが後半に含まれている情報にアクセスするために認可を与えられるなら、視聴者受信局による前記信号のデコードを許可するアクセス認可信号のユーザデバイスでの生成と、
限定された視聴者のプロフィールに従って、視聴者のための登録についてのこれらの第１のメッセージの内容とユーザデバイスの内容との間の一定のインタラクティブ性を生み出すために、一定時間のウィンドウの間、少なくとも１つのサービス又は１つのプログラムを認可することを可能にしているプログラム可能なプロフィール内容を有する少なくとも１つの第１の共通情報と
を含んでいることを特徴とするデジタル有料テレビにおけるアクセスコントロール方法。
【請求項５】
視聴者受信局によって受信された信号に含まれた情報へのデジタル有料テレビにおけるアクセスコントロールシステムであって、
前記視聴者受信局が信号をデコードするのを可能にし、視聴者が信号をデコードするのをプロポーズし、オン・デマンド操作モードを視聴者に提供するための情報を含んでいる第１の共通情報と、ユーザの権利データのアップデートを可能にするための情報を含んでいる第２の個別情報との２タイプのメッセージを前記視聴者受信局を介したユーザデバイスへ送信するためのオペレータトランスミッションステーションと、
限定された視聴者のプロフィールに従って、視聴者のための登録についてのこれらの第１のメッセージの内容とユーザデバイスの内容との間の一定のインタラクティブ性を生み出すために、一定時間のウィンドウの間、少なくとも１つのサービス又は１つのプログラムを認可することを可能にしているプログラム可能なプロフィール内容を有する少なくとも１つの第１の共通情報と
を含んでいることを特徴とするデジタル有料テレビにおけるアクセスコントロールシステム。
【請求項６】
視聴者受信局によって受信された信号に含まれた情報へのデジタル有料テレビにおけるアクセスコントロールシステムであって、
前記視聴者受信局が信号をデコードするのを可能にし、視聴者が信号をデコードするのをプロポーズし、オン・デマンド操作モードを視聴者に提供するための情報を含んでいる第１の共通情報と、ユーザの権利データのアップデートを可能にするための情報を含んでいる第２の個別情報との２タイプのメッセージを視聴者局で受け取るユーザデバイスと、
ユーザデバイスにおいて、ユーザーが後半に含まれている情報にアクセスするために認可を与えられるなら、視聴者受信局による前記信号のデコードを許可するアクセス認可信号の生成を認可する条件付きアクセスサブシステムは、
限定された視聴者のプロフィールに従って、視聴者のための登録についてのこれらの第１のメッセージの内容とユーザデバイスの内容との間の一定のインタラクティブ性を生み出すために、一定時間のウィンドウの間、少なくとも１つのサービス又は１つのプログラムを認可することを可能にしているプログラム可能なプロフィール容量を有する少なくとも１つの第１の共通情報と
を含んでいることを特徴とするデジタル有料テレビにおけるアクセスコントロールシステム。
【発明の詳細な説明】
【技術分野】
【０００１】
本願発明は、デジタル有料テレビの分野におけるアクセスコントロール方法に関する。
【背景技術】
【０００２】
有料テレビで使用されるテクニックは、２つの独立したメカニズムに基づいている。一方は、ビデオ及び／又はオーディオ信号のスクランブリング（scrambling）／暗号化（encryption）であり、他方は、コントロールアクセスを備えたデスクランブルリングモジュールに安全なメッセージとして送信される商用の権利の機能である。暗号化は、デジタル・ビット・ストリーム上で容易に適用される。すべてのビットが、例えば、ブロック暗号化を使用することにより暗号化される。スクランブリングは、アナログ放送に使用される。このようなスクランブリングの方法を使用することによって、信号形式は変更され、同期信号は削除され、暗号化された形式で別々に送信される。オーディオ信号はデジタル信号に変換され、それから暗号化される。暗号化されたデジタルオーディオ信号は、ビデオ信号に挿入される。
【０００３】
送信されたデータは、コントロールワード（ＣＷ）又はキーの使用により、スクランブルをかけられるか、または暗号化される。コントロールワード又はキーは、短期間で変換する。新しいキーを視聴者受信局に送るために、共通情報（Entitlement Control Eessages：ＥＣＭ）と個別情報（Entitlement Management Messages：ＥＭＭ）が使われる。
【０００４】
これら２つのメッセージ、ＥＣＭとＥＭＭは、スマートカードに視聴者受信局を介して送られる。
【０００５】
ＥＣＭメッセージは、視聴者受信局がビデオ及び／又はオーディオ信号をデスクランブリングすることを許可する情報を含んでいる。ユーザが現在のテレビ番組にアクセスするのを認可される場合にだけ、デスクランブリングを可能にする形式でデスクランブリングデータは、後に返される。ユーザがスマートカードによって代理される場合、アクセス認可は、カードに格納された権利データによって示される。
【０００６】
ＥＭＭメッセージは、例えば、スマートカードに格納されたデータの修正によって、ユーザ権利データをアップデートするのに使用され得る情報を含んでいる。
【０００７】
ＥＣＭとＥＭＭメッセージには、メッセージ(例えば、ハッシュコード)の保全を確実にするデジタル署名領域がある。これによって、ユーザは、メッセージの内容を修正することができない。
【０００８】
ＥＣＭメッセージは、送信されたスクランブル信号で送信される。それは、３つの領域を含む。第１領域は、アクセスパラメータを含む。これらのパラメーターは、テレビ番組へのアクセスが許可される状態を定義する。この領域は、例えば、親のアセスメント（追加ピンコードは、その後、デコーダによって要求される。）と地理的なマスキング（映画は、全ヨーロッパ諸国で利用可能ではないかもしれない。）を可能にする。第２領域は、暗号化された形式でコントロールワードを含んでいる。最後の領域は、データ保全チェックを含んでいる。
【０００９】
通常、ＥＭＭメッセージは、４つの領域を含んでいる。各ＥＭＭメッセージは、アドレス領域でレシーバー又は複数のレシーバーを選択し始める。２つのアドレスモード、一方は個々の局のため、他方はそのような局のグループのため、がある。第２領域は、特定のユーザのための権利を含んでいる。第３領域は、暗号化された形式のサービスキーを含んでいる。最後の領域は、データ保全チェックを含んでいる。また、ＥＭＭメッセージは、コマンドをデコーダへ送るために使用される。通常、ＥＭＭメッセージの送信は、ユーザからサービスプロバイダーへの明確なリクエストの結果である。通常、これらのメッセージは個別的である。ＥＭＭメッセージは、それらが適用するテレビサービスと共に同時には送信されない。それらは、あらかじめ権限を与えられたユーザが特定のプログラムにアクセスするのを許可するために送信される。どんなネットワークも、これらのＥＭＭメッセージをレシーバー、例えば、モデム、メール又はラジオ放送に送信するのに使用される。
【００１０】
ＥＭＭメッセージが、例えば、登録を更新するためにユーザによって受け取られた確率を増加させるよう、後半は何度か送られる。ＥＭＭメッセージは、送信のための特定のピリオド（period）によってこのように周期的に組織される。そのようなピリオドの持続時間は、長い間レシーブ局を外したユーザに権利を得させる最大待機時間を決定するための主なパラメータである。
【発明の開示】
【発明が解決しようとする課題】
【００１１】
先行技術、「限定受信システムの機能論的モデル」（８３０１  ＥＢＵ  レビュー  テクニカル、１９９５、ナンバー２６６）の記事は、デジタルテレビで使用するための限定受信システムの機能論的モデルについて記述する。そのような限定受信システムは、どんな無認可のレセプションも防ぐためにスクランブリング及び暗号化の組み合わせから成る。そして、スクランブリングは、イメージ、音、およびデータを理解しがたくすることを可能にする。そして、暗号化は、デスクランブラが機能するのを可能にするためにスクランブルされた信号で送信された秘密キーを保護する。デスクランブリング後、イメージや音に関するどんな欠点も微細であるに違いない。即ち、この限定受信システムは、平明であるに違いない。
【００１２】
視聴者認可システムによる個別情報（Entitlement Management Messages：ＥＭＭｓ）の生成、送信及び使用は、図１で示される。
【００１３】
この視聴者認可システム（Subscriber Authorization System：ＳＡＳ）１０とコントロールワード（ＣＷ）生成プログラム１１とは、暗号化回路１３及び１４を介して、オペレーター送信局１２に接続される。
【００１４】
このオペレーター送信局１２は、マルチプレクサ１５、スクランブラ１６、変調器１７及び送信機１８中を連続して伝わるイメージ信号Ｉ、音声信号Ｓ及びデータ信号Ｄを受け取る。
【００１５】
前記送信機１８によって送信されるか、又は、例えば、衛星２０を介して送信された信号を受け取り次第、レシーバー２２、復調器２３、デスクランブラ２４、デマルチプレクサ２５を連続的に含む視聴者受信局２１は、イメージ信号Ｉ’、音声信号Ｓ’及びデータ信号Ｄ’を配信する。
【００１６】
限定受信サブシステム、例えば、２つの復号化回路２７及び２８、並びにセキュリティプロセッサー２９（秘密キー）を含むスマートカード２６は、この視聴者受信局２１に接続される。
【００１７】
デスクランブリングは、デスクランブラ、復号化回路及び現在のサービスキーの所持を必要とする。復号化は、通常、スマートカード２６に格納された秘密キーを使用する現在のプログラムへの個別情報（ＥＭＭ）の使用を必要とする。
【００１８】
デジタルテレビの分野において、オン・デマンドの消費モードは、視聴者に提供される。この消費モードは、上映予約、あるいは“衝動的なペイパービュー方式／時間単位で支払う”タイプの操作を伴う登録モードのサービス、例えば映画上映を見るために使用される。
【００１９】
しかし、そのような消費モードは、視聴者に直接プロモーションのオファーをすることができず、あるいは、認証を送る必要なく、視聴者の母集団の特定のセクションを対象とするため、限定した視聴者のプロフィールによって、例えば、一定のタイムウィンドウの間に与えられた映画を見るために、対象とされた方法でサービスを認可するために、非認証個別情報（ＥＭＭ）を送る。
【００２０】
本発明の目的は、どんな重い規制もオペレータ送信局に置くことなく、対象とされた方法で、及び間接的に、限定した視聴者のプロフィールによって、サービスを認可することを可能にする新しい消費モードを提供することによって、そのような問題を解決することである。
【課題を解決するための手段】
【００２１】
従って、本発明は、視聴者受信局（２１）によって受信された信号に含まれた情報へのデジタル有料テレビにおけるアクセスコントロール方法であって、
視聴者受信局が信号をデコードすることを可能にし、オン・デマンドの操作モードを視聴者に提供する情報を含む第１の共通情報（ＥＣＭ）と、ユーザの権利データのアップデートを可能にする情報を含む第２の個別情報（ＥＭＭ）との２タイプのメッセージを前記視聴者受信局を介してユーザデバイス（２６）に送信するステップと、
ユーザが後半に含まれている情報にアクセスするのに認可を与えられるなら、視聴者受信局（２１）によって前記信号のデコードを可能にするために、ユーザデバイス（２６）でアクセス認可信号（ＣＷ）を生成するステップとを備え、
第１の共通情報（ＥＣＭ）が、視聴者のための登録についてのこれらの第１のメッセージ（ＥＣＭ）の内容とユーザデバイスの内容との間の一定のインタラクティブ性を生み出すために、限定された視聴者のプロフィールに従って、一定時間のウィンドウの間、少なくとも１つのサービス又は１つのプログラムを認可することを可能にしているプログラム可能なプロフィール内容を有して送られることを特徴とするデジタル有料テレビにおけるアクセスコントロール方法を提供する。
【００２２】
本発明の方法は、送信された個別情報（ＥＭＭ）の減少に伴う商用のオファーをすることと、「プロファイリング」（視聴者のプロフィールを考慮に入れて）を容易に実行することと、システム著作権侵害と戦うことと、を有利に可能にする。
【００２３】
この方法が、次の個別情報（ＥＭＭ）をブロックしている間、基本的な登録をリクエストし、認証した個別情報（ＥＭＭ）を受け取った後に、その時最大限の登録オファーをリクエストして、限定された瞬間、与えられた視聴者のために、あるタイプのシステム著作権侵害と戦うことを明確に可能にするＥＭＭキャンセルメッセージを特に含んでいる。
【発明を実施するための最良の形態】
【００２４】
図１に示されたシステムにおいて動作する発明の方法において、そのようなＥＣＭメッセージの内容とスマートカードの内容との間の一定のインタラクティブ性を生産するために用いられる共通情報ＥＣＭは、視聴者のための登録によってプログラム可能なプロフィール内容がある。
このように、第１オファー０１及び第２オファー０２から利益を得ている視聴者にとって、例えば上映時間中に、ＥＣＭメッセージのコントロールの下での第３オファー０３から利益を得ることは可能である。もし、次に、もはやそのようなプロモーション用のオファーをしないように要求されるなら、ＥＣＭメッセージの条件は、取り消される。
そのような機能は、多くの個別情報ＥＭＭを最初に送る必要なく、視聴者のプロフィールに従って一定のサービスを見ることを許す。
また、それで、一定のプロフィールを持っている視聴者が割引値段の利益を得るのを保証することが可能になる。例えば、他のユーザが４つのトークンを支払う必要があるのに対して、プログラムＰ１及びＰ２並びに商用オファー０１のための権利の代金を払っている視聴者は、２つのトークンによって販売用のプログラムの代金を払うことができる。
【００２５】
また、そのような機能で、システム著作権侵害と戦うことが可能になる。発明の方法によると、毎日の一時的なオファーは、各サービス又は各プログラムに割り当てられる。視聴者に永続的なオファーへのアクセスを与えるのではなく、むしろ視聴者がプログラム、例えば映画上映へのアクセスをリクエストしたときに、視聴者は、一時的なオファーへのアクセスを与えられる。
【００２６】
従って、短時間の後、例えば同日に、最大限の登録オファーが意見を変更するのをこの視聴者がリクエストすれば、通常、基本的な登録は、支払わないことをリクエストするために、視聴者は、キャンセル個別情報ＥＭＭを送られる。もし、後半を妨げるために、これらのＥＭＭメッセージの「ブロッカー」を用いるならば、視聴者は、例えば２ヶ月間無料のリクエストサービス、又はリクエストプログラムにアクセスし続けるかもしれない。
【００２７】
他方、発明の方法では、オファーが一時的であるので、翌日、例えば、たとえ「ＥＭＭブロッカー」を用いたとしても、視聴者は、もはやサービスやプログラムにはアクセスしない。最大限のオファーをリクエストし、確認した視聴者のために、このサービス、又はこのプログラムの永続的なオファーを備えたＥＭＭキャンセルメッセージを送ることが必要である。
【００２８】
発明の方法の典型的な実施例
（１）条件付きの内容で
ＥＭＭメッセージのそのような条件付きの内容は、地理的なアドレス及び／又は登録アドレスが表すビットマップフィールドで、ＡＮＤ、ＯＲ、ＩＦ、ＥＬＳＥ及びＮＯＴ機能を用いることによって働くことが可能になる。また、既に他のプログラムを取得したなら、プログラム番号の間の条件付き操作、例えば１つのプログラムの取得を生じさせることを可能にする。そのような条件付きの操作モードは、シーケンスの形に現れる。例えば、
IF(offer０１)AND(offer０２)AND(NOT offer０３)
以上の条件を満たせば、５０のトークンのために提供された「衝撃的なペイパービュー」モードのプログラムＰ１を取得させる。
そうでなければ、７０のトークンのために提供された「衝動的なペイパービュー」モードのプログラムＰ１を取得させる。
【００２９】
（２）条件付きのビットマップで
条件付きのメカニズムは、視聴者に追加の取得、又は視聴可能性を提供するために用いられることができる。例えば、
IF(((offer０１)AND((offer０３)OR(offer０４)))）
以上の条件を満たせば、プログラムの視聴は可能である。
【００３０】
（３） システム著作権侵害に対する戦いで
条件付きのメカニズムは、著作権侵害の前記のタイプと戦うために用いられる。例えば、
ある日に、
IF((temporary  offer０５)OR(permanent  offer０１))
以上の条件を満たせば、プログラムの視聴は可能である。
その１日後に、
IF((temporary  offer０６)OR(permanent  offer０１))
以上の条件を満たせば、プログラムの視聴は可能である。
【図面の簡単な説明】
【００３１】
【図１】図１は、従来技術のデジタルテレビ信号トランシーバーシステムを示す。
【図１】
2006510323.tif 000003
【国際調査報告】
2006510323.tif 000004
2006510323.tif 000005
2006510323.tif 000006
2006510323.tif 000007
2006510323.tif 000008
2006510323.tif 000009